(57)【特許請求の範囲】
【請求項１】
左右水平方向に入口（６）と出口（７）を設けた本体（３）内に、養殖貝を搬送する搬送コンベア（２８）と、搬送された養殖貝を上方から保持する保持コンベア（４６）をそれぞれ回転可能に取付け、前記両コンベア（２８）、（４６）の中央付近で上下に対向させて形成した洗浄面（４０）に、上下両側から洗浄水を噴射する噴射ノズル（５８）を有した洗浄機構（５５）を回転可能に取付けてなる洗浄装置（１）において、
前記本体（３）の正面上下に設けた点検口（１０）、（１１）に透明な蓋板（１３）、（１５）をそれぞれ着脱可能に取付け、前記本体（３）の出口側（７）に取付けた排出シュータ（２５）の底面中間に、貝止め板（２６ｂ）と貝受舌部（２７）を有した貝回収口（２６）を形成し、前記搬送コンベア（２８）と保持コンベア（４６）の無端ベルト部（２９）、（４７）を構成する連結片（３０）、（４８）に、それぞれ互い違いに向かい合わせて突出させた係止突部（３１）、（４９）を一体に形成すると共に、養殖貝（７１）を多数吊下げた養殖紐（７０）を前記本体の入口側（６）から出口側（７）に移動させる養殖紐保持手段（６０）を設けたことを特徴とする養殖貝の洗浄装置。
【請求項２】
前記無端ベルト部（２９）、（４７）を構成する連結片（３０）、（４８）は、該連結片の上端に設けた係止突部（３１ａ）、（４９ａ）の端面を凹凸状に形成した係止部（３１ｂ）、（４９ｂ）を設けてなることを特徴とする請求項１記載の養殖貝の洗浄装置。
【請求項３】
前記養殖紐保持手段（６０Ａ）は、前記本体（３）の入口側（６）で搬送コンベア（２８）の片側駆動チェーン（３２ａ）の各外側連結片（３６）にそれぞれ設けた係止凸部（３７）と、前記駆動チェーン（３２ａ）の上方に位置した紐圧着機構（６１）で養殖紐（７０）の先端を圧着保持し、前記駆動チェーン（３２ａ）の前進により養殖紐（７０）の先端を出口側（７）に移動可能に形成したことを特徴とする請求項１または２記載の養殖貝の洗浄装置。
【請求項４】
前記紐圧着機構（６１）は、前記本体（３）の一側に軸支した支持杆（６５）の下端に、本体の入口付近から出口付近まである長尺な押圧片（６２）の中央より前側を枢動可能に軸支し、前記支持杆（６５）の上端にばね（６６）を取付けてなり、上方をやや浮かせて吊下げた前記押圧片（６２）の先端を、前記ばね（６６）で駆動チェーン（３２ａ）方向に付勢させて取付けたことを特徴とする請求項１ないし３のいずれか１記載の養殖貝の洗浄装置。
【請求項５】
前記養殖紐保持手段（６０Ｂ）は、一端に前記養殖紐（７０）の先端を結着する紐係止部（７７）を設け、他端に前記搬送コンベア（２８）のベルト軸（３３）に引っ掛けるフック部（７６）を一体に形成した紐保持具（７５）で、前記養殖紐（７０）の先端に取付けた紐保持具（７５）のフック部（７６）を、搬送コンベア（２８）の任意のベルト軸（３３）に引っ掛けて前記本体（３）の入口側（６）から出口側（７）に移動可能に形成したことを特徴とする請求項１または２記載の養殖貝の洗浄装置。
【請求項６】
前記紐保持具は、前記養殖紐（７０）の先端を着脱可能に結着するチャック部（８２）の先端に、前記搬送コンベア（２８）の任意のベルト軸（３３）に着脱可能に引っ掛けるフック部（７６）を一体に形成した紐保持具（８０）で、該紐保持具のフック部８１を搬送コンベア（２８）の任意のベルト軸（３３）に引っ掛けて前記本体（３）の入口側（６）から出口側（７）に移動可能に形成したことを特徴とする請求項１または２記載の養殖貝の洗浄装置。
【発明の詳細な説明】
【技術分野】
【０００１】
本発明は牡蠣や真珠貝または帆立貝など、養殖貝の洗浄装置の改良に関する。
【背景技術】
【０００２】
従来、牡蠣や真珠貝または帆立貝などの二枚貝（以下、養殖貝という。）の養殖方法は多種多様であるが、いわゆる吊下げ式の養殖方法は、養殖貝の耳と呼ばれる部分にそれぞれ孔を開け、この養殖貝をテグスや合成樹脂製の吊りピンなどで結んで2個を一組として養殖紐に多数取付け、この養殖紐をそれぞれブイで水平方向に這わせた元綱に一定間隔で結んで海中に垂らして生育させる方法である。
【０００３】
この吊下げ式の養殖方法は、砂地で生育させる養殖方法に比べ、養殖貝が砂を含まないことから広く行われている。また養殖貝は、養殖を始めてから出荷するまでには2年から３年間海中で生育させる。その間、養殖貝は海中に吊るされたままの状態であるため、養殖貝の表面に海中で浮遊するイガイやふじつぼ、または、各種の海草などが付着し養殖貝の生育と共にこの付着物も成長する。
【０００４】
そのため、これら付着物により養殖貝の生育が遅れたり、付着物の密生により養殖貝が死んだり、または、付着物により養殖貝同士が絡まったりして養殖貝の養殖効率を著しく低下させている。また、出荷時に海中から養殖貝を引き上げたとき、養殖貝に付着した付着物の除去作業が大変である。そのため、吊下げ式の養殖貝の養殖では、養殖貝の表面に付いた付着物を定期的に除去する洗浄作業が海上で行われている。
【０００５】
例えば、帆立貝の洗浄を行う洗浄装置には、帆立貝を吊下げたままの養殖紐を海中から引き上げて装置内に取付けたコンベアで搬送しながらブラシや加圧流体で洗浄する洗浄装置が知られている。
【０００６】
さらには、海中から引き上げた養殖紐の一端を持ったままで洗浄コンベアベルト上に引き上げ、更に紐の一端を持ったまま本体の側面の設けた挿通口に紐の先端を通して出口側に出すようにした洗浄装置も知られている。
【先行技術文献】
【特許文献】
【０００７】
【特許文献１】実開昭６１−１１５０６０号
【特許文献２】特開２０００−２３５９２号
【０００８】
これらの洗浄装置で洗浄作業を行う場合、海中に張ってある元綱に一端を結んである養殖紐の結び目を解き、養殖紐の一端を握って海中から引き上げて洗浄装置の入口から挿入して出口側に引き出し、再度元綱に養殖紐の一端を結んで行う。この間、養殖貝は巻き上げローラにより引き上げられて、入口側からコンベアにより搬送されて洗浄されながら出口側に移動し、ガイドシュータを伝って自重で海中に戻すことにより行われている。前記作業中、養殖紐が海中に落ちるのを防止するため、養殖紐の一端を握ったままで作業が行なわれている。
【０００９】
しかし、養殖紐は、海水に濡れて滑りやすく、且つ、大きく成長した多数の養殖貝と、各養殖貝に付着した多数の付着物により非常に重くなっている。そのため、元綱から養殖紐を解いたときや、洗浄装置に紐を通すときに養殖紐の重さや紐に付着した海草で手が滑って紐を海中に落下させたり、紐に付着した養殖貝殻で怪我をしたりするおそれがあり危険である。さらには海中に落下した養殖紐の回収作業は手間と時間がかかり洗浄作業の作業効率が著しく低下する。そのため、紐を解いてから洗浄装置まで引き上げる作業には強い腕力と熟練した技術が必要とされている。
【発明の概要】
【発明が解決しようとする課題】
【００１０】
本発明が解決しようとする課題は、元綱に一端を結んである養殖紐の結び目を解いて洗浄装置の入口まで引き上げた後、洗浄装置の入口側から挿入して出口側に出す作業において、強い腕力と熟練した技術がなくとも、紐の一端から手を離しても確実に洗浄装置を通して出口側から引き出し、紐を再度元綱に簡単に結ぶことができる装置を提供することにより養殖貝の洗浄作業の安全性と作業効果の向上を図ることを目的とするものである。
【課題を解決するための手段】
【００１１】
上記課題を達成するため本発明は、左右水平方向に入口６と出口７を設けた本体３内に、養殖貝を搬送する搬送コンベア２８と、搬送された養殖貝を上方から保持する保持コンベア４６をそれぞれ回転可能に取付け、前記両コンベア２８、４６の中央付近で上下に対向させて形成した洗浄面４０に、上下両側から洗浄水を噴射する噴射ノズル５８を有した洗浄機構５５を回転可能に取付けてなる洗浄装置１において、前記本体３の正面上下に設けた点検口１０、１１に透明な蓋板１３、１５をそれぞれ着脱可能に取付け、前記本体３の出口側７に取付けた排出シュータ２５の底面中間に、貝止め板２６ｂと貝受舌部２７を有した貝回収口２６を形成し、前記搬送コンベア２８と保持コンベア４６の無端ベルト部２９、４７を構成する連結片３０、４８に、それぞれ互い違いに向かい合う係止突部３１、４９を一体に形成すると共に、養殖貝７１を多数吊下げた養殖紐７０を前記本体の入口側６から出口側７に移動させる養殖紐保持手段６０を設けたことを特徴とする。また、前記無端ベルト部２９、４７を構成する連結片３０、４８は、該連結片の上端に設けた係止突部３１ａ、４９ａの端面を凹凸状に形成した係止部３１ｂ、４９ｂを設けてなることを特徴とする。さらには、前記養殖紐保持手段（６０Ａ）は、前記本体３の入口側６で搬送コンベア２８の片側駆動チェーン３２ａの各外側連結片３６にそれぞれ設けた係止凸部３７と、前記駆動チェーン３２ａの上方に位置した紐圧着機構６１とで養殖紐７０の先端を圧着保持し、前記駆動チェーン３２ａの前進により養殖紐７０の先端を出口側７に移動可能に形成したことを特徴とする。さらにはまた、前記紐圧着機構６１は、前記本体３の一側に軸支した支持杆６５の下端に、本体の入口付近から出口付近まである長尺な押圧片６２の中央より先端側を枢動可能に軸支し、前記支持杆６５の上端にばね６６を取付けてなり、やや上方に浮かせて吊下げた前記押圧片６２の先端を前記ばね６６で駆動チェーン３２ａ方向に付勢させて取付けたことを特徴とする。また、前記養殖紐保持手段６０Ｂは、一端に前記養殖紐７０の先端を結着する紐係止部７７を設け、他端に前記搬送コンベア２８のベルト軸３３に引っ掛けるフック部７６を一体に形成した紐保持具７５で、前記養殖紐７０の先端に取付けた紐保持具７５のフック部７６を、搬送コンベア２８の任意のベルト軸３３に引っ掛けて前記本体３の入口側６から出口側７に移動可能に形成したことを特徴とする。さらには、前記紐保持具は、前記養殖紐７０の先端を着脱可能に結着するチャック部８２の先端に、前記搬送コンベア２８の任意のベルト軸３３に着脱可能に引っ掛けるフック部７６を一体に形成した紐保持具８０で、該紐保持具のフック部８１を搬送コンベア２８の任意のベルト軸３３に引っ掛けて前記本体３の入口側６から出口側７に移動可能に形成したことを特徴とする。
【００１２】
したがって、前記洗浄装置１は、本体３の一側面に設けた点検口１０、１１に蓋板１３、１５を着脱可能に取付けることにより、洗浄中における洗浄水の拡散を防止し、洗浄後の点検清掃を容易にすることができ、また、前記本体３の出口側７に設けた排出シュータ２５に養殖貝回収口２６を設けたことにより、養殖紐７０から外れた養殖貝７１を容易に回収することができ、さらには、前記搬送コンベア２８と保持コンベア４６の無端ベルト部２９、４７に取付けた連結片３０、４８の係止突部３１、４９で搬送された養殖貝７１を上下方向から保持して洗浄しながら移動させることにより、洗浄作業中に養殖貝が養殖紐７０から離脱したり、養殖紐７０が海中に落下するのを防止できる。さらには、海中から引き上げた養殖紐７０の先端を本体３の一側に設けた養殖紐保持手段６０により保持して本体の入口側６から後方出口７まで送ることにより、洗浄作業中に養殖紐７０が滑って手に怪我をしたり、紐をそのまま海中に落下させるおそれがなく、確実に養殖紐を出口側に引き出して再度元綱に結ぶことができるので作業効率の向上を図ることができるという利点を有する。
【図面の簡単な説明】
【００１３】
【図１】本発明にかかる第１洗浄装置の正面図である。
【図２】養殖紐の引き上げ状態を示す第１洗浄装置の正面図である。
【図３】養殖紐の引き上げ状態を示す第１洗浄装置の側面図である。
【図４】第１洗浄装置の平面図である。
【図５】排出シュータに設けた養殖貝回収口の要部拡大断面図である。
【図６】無端ベルトの一部破断した平面図である。
【図７】連結片の要部拡大斜視図である。
【図８】一部破断した無端ベルト部に取付けた第１連結片の側面図である。
【図９】連結片の第２の実施の形態を示す第２連結片の側面図である。
【図１０】養殖貝を連結片で上下から保持した状態を示す断面図である。
【図１１】養殖紐保持手段である紐圧着機構を示す一部破断した側面図である。
【図１２】図１１のＡ―Ａ線拡大断面図である。
【図１３】第１外側連結片を取付けた駆動チェーンの側面図である。
【図１４】第２外側連結片を取付けた駆動チェーンの側面図である。
【図１５】第３外側連結片を取付けた駆動チェーンの側面図である。
【図１６】第４外側連結片を取付けた駆動チェーンの側面図である。
【図１７】入口付近で養殖紐の一端を圧着した状態を示す要部拡大図である。
【図１８】養殖紐の圧着状態を示す要部拡大図である。
【図１９】図１８のＢ―Ｂ線拡大断面図である。
【図２０】出口側に養殖紐が送り出された状態を示す説明図である。
【図２１】本発明にかかる第２洗浄装置の正面図である。
【図２２】一部破断した無端ベルト部の平面図である。
【図２３Ａ】養殖紐保持手段である第１紐保持具を示す側面図である。
【図２３Ｂ】第２紐保持具の側面図である。
【図２３Ｃ】第３紐保持具の側面図である。
【図２４】養殖紐保持手段である紐保持具を無端ベルト部の連結軸に引っ掛けた状態を示す断面図である。
【発明を実施するための形態】
【００１４】
本発明の第１の実施の形態である第１洗浄装置を図面に基づいて説明すると、図１は本発明にかかる第１洗浄装置の正面図、図２は養殖紐の引き上げ状態を示す第１洗浄装置の正面図、図３は養殖紐の引き上げ状態を示す第１洗浄装置の側面図、図４は第１洗浄装置の平面図、図５は排出シュータに設けた貝回収口の要部拡大断面図、図６は無端ベルトの一部破断した平面図、図７は無端ベルト部に取付ける連結片の要部拡大斜視図、図８は一部破断した無端ベルト部に取付けた第１連結片の側面図、図９は無端ベルト部に取付けた第２連結片の側面図、図１０は養殖貝を連結片で上下から保持した状態を示す断面図、図１１は養殖紐保持手段である紐圧着機構を示す一部破断した側面図、図１２は図１１のＡ―Ａ線拡大断面図である。本発明に係る第１洗浄装置１Ａは、作業船の船縁に取付けて使用するもので、架台２上に設けた本体３の内部に、海中から引き上げた養殖紐７０に吊下げた養殖貝７１を搬送する搬送コンベア２８と、搬送された養殖貝を上面から押さえて安定させる保持コンベア４６と、搬送された養殖貝の表面に付着した不純物を除去する洗浄機構５５をそれぞれ収容し、前記洗浄装置１の入口側６には海中の養殖貝７１を吊下げた養殖紐７０を引き上げるための巻上げドラム２０を取付け、他方の出口側７には洗浄後の養殖貝を海に戻すための排出シュータ２５を取付けてある。
【００１５】
前記架台２は、洗浄装置１を船縁に取付ける際、船上の所定箇所に設けた固定枠（図示せず）に取付ける。この架台２の中央には洗浄機構５５に海水を圧送するポンプ（図示せず）に連通する送水管の開閉バルブ（図示せず）を取付けてある。
【００１６】
前記本体３は、図１に示すごとく、養殖貝７１を搬送する搬送コンベア２８を収容した下部体４と、搬送された養殖貝７１を上面から押さえて向きを安定させる保持コンベア４６を収容した上部体５とからなり、前記搬送コンベア２８と保持コンベア４６とが対面する水平方向の左右に入口６と出口７をそれぞれ設けてある。
【００１７】
前記本体３の正面で、搬送コンベア２８の側面中央と、保持コンベア４６の側面中央にそれぞれ点検口１０、１１を設け、該点検口に蓋板１３、１５をそれぞれ着脱可能に取付けてある。前記保持コンベア４６側の上点検口１０に取付ける上蓋板１３には、洗浄状況を外部から観察することができる透明窓部１４を設けてある。
【００１８】
本体３の正面側に点検口１０、１１を設けることにより、清掃や点検を行う場合、本体３の正面板を外すことなく簡単に行うことができる。また、洗浄作業中は、点検口１０、１１にそれぞれ蓋板１３、１５を取付けることにより、洗浄水の飛沫が飛び散るのを防止することができる。
【００１９】
本体３内に収容した搬送コンベア２８や保持コンベア４６および巻上げドラム２０は、それぞれ本体３に内蔵した駆動モータ（図示せず）により駆動し、洗浄機構５５は本体３の上部に設けた駆動モータ５９により回転し、洗浄水は海水を汲み上げるポンプ（図示せず）から送水される。
【００２０】
１９は感知バーで、図３に示すごとく、前記本体３の入口６に取付けられ、海中から引き上げた養殖貝を前記感知バーに当てて刺激することにより養殖貝の口を閉じさせている。養殖貝の口が開いた状態で洗浄すると、口から水が入って養殖貝が弱ったり、死んだりするおそれがある。そのため、本体３の入口６に感知バー１９を設け、搬送された養殖貝がバーに当たることによって刺激し、養殖貝の口を洗浄前に閉じさせるものである。
【００２１】
２０は巻上げドラムで、前記本体３の入口側６に取付け、海中から引き上げた養殖紐７０に吊下げてある養殖貝７１を容易に引き上げることができる。この巻上げドラム２０のドラム部２１と、本体３の入口６との間に搬送板２２を取付け、海中から引き上げた養殖貝７１をスムースに搬送コンベア２８に送るようにしてある。
【００２２】
２３はガイド軸で、前記搬送板２２の一側で本体３の入口６付近に取付け、海中から引き上げた養殖紐７０がドラム部２１の片側に寄ることを防止し、また、養殖紐７０の先端を搬送コンベア２８方向へ送るとき、該ガイド軸に取付けたガイドローラ（図示せず）により引き上げた養殖紐７０の養殖貝７１を搬送コンベア２８方向へスムースに送ることができる。
【００２３】
２５は排出シュータで、前記本体３の出口側７に取付けて洗浄後の養殖貝７１をこの排出シュータ２５で滑らせて海中に戻すことにより、養殖貝を傷つけることなくスムースに海中に戻すことができる。
【００２４】
この排出シュータ２５には、図４、５に示すごとく、シュータの中間底面に貝回収口２６を設け、洗浄中に養殖紐７０から離脱した養殖貝を回収するものである。この貝回収口２６は、下側底板２６ｃに前記排出シュータ２５の傾斜方向と反対方向に傾斜させて貝受舌部２７を設け、上側底板２６ａの端面を下方に折り曲げて先端を前記貝受舌部２７の表面側で養殖貝が落下しない程度の隙間を設けて貝止め板２６ｂを位置してある。
【００２５】
排出シュータ２５に貝回収口２６を設けたことにより、テグスから離脱した養殖貝は、貝回収口２６内に落下して貝止め板２６ｂで係止することにより容易に回収することができ、無駄がない。また、養殖貝に着いた洗浄水は、貝止め板２６ｂと貝受舌部２７との隙間から落下して水きりをすることができるので回収作業の効率化を図ることができる。さらには、養殖紐７０に吊るされた状態の養殖貝７１は、貝受舌部２７で受けることにより貝回収口２６に落下することなくスムースに通過させることができる。
【００２６】
前記搬送コンベア２８は、下部体４内で、入口側６に軸支した駆動スプロケット３８と、出口側７に軸支したスプロケット３９との間に水平な洗浄面４０を設け、下方にそれぞれ軸支した他のスプロケット３９を介してエンドレスに回転可能に環回してある。
【００２７】
前記保持コンベア４６は、前記本体３の上部体５内に収容され、入口側６に軸支した駆動スプロケット５０と、出口側に軸支したスプロケット５２との間に前記洗浄面４０と並行に位置し、上部体５に軸支した他のスプロケット５２を介して保持コンベア４６をエンドレスで回転可能に環回してある。
【００２８】
前記搬送コンベア２８と保持コンベア４６とを構成する無端ベルト部２９、４７は、図６に示すごとく、金属製の無端ベルト、特に塩害に対する耐食性を有するステンレス材により形成した多数の連結片３０、４８を、それぞれ並行に位置した複数のベルト軸３３に互い違いに連続して連結して無端ベルト部２９、４７を形成し、該無端ベルト部の両側に駆動チェーン３２をそれぞれ同軸に取付けて形成してある。
【００２９】
前記ベルト軸３３に互い違いに連続して連結した連結片３０、４８は、それぞれ同軸で並行に位置した連結片３０、４８と連結片３０、４８との間に、それぞれスペースリング３４をベルト軸３３に挿通して各連結片の揺動を防止している。
【００３０】
前記無端ベルト部２９、４７に取付けた第１連結片３０、４８は、図７、８に示すごとく、連結片３０、４８の長手方向にベルト軸３３を挿通する軸孔３０ａ、４８ａを設け、無端ベルト部２９、４７が互いに向かい合う面に係止突部３１、４９を突出させて一体に形成してある。
【００３１】
この係止突部３１、４９を有した連結片３０、４８からなる無端ベルト部２９、４７を取付けて形成した搬送コンベア２８または保持コンベア４６を取付けて形成した洗浄装置１は、海水に濡れて重い多数の養殖貝７１を吊るした重量のある養殖紐７０を、洗浄装置１の入口側６から洗浄面４０上に養殖貝７１が搬送されると、図１０に示すごとく、それぞれ上下方向から互い違いに突出している係止突部３１、４９により養殖貝７１をしっかりと保持しながら移動させることができる。したがって、各コンベアによる各養殖貝の保持力が向上して搬送中または洗浄中に養殖貝が動いたり、養殖紐７０が引張られるのを防止すると共に、養殖紐７０が自重で海中に落下するのを防止することができる。
【００３２】
図９は無端ベルト部２９ｂ、４７ｂに取付けた連結片の第２の実施形態で、連結片３０ｂ、４８ｂに設けた係止突部３１ａ、４９ａの上端に、ノコギリ刃状の凹凸部３１ｂ、４９ｂを設けてある。この連結片３０ａ、４８ａの係止突起３１ａの上端に凹凸部３１ｂ、４９ｂを設けることにより、該凹凸部で養殖貝７１を上下方向から保持したとき、該凹凸部により養殖貝が滑るのを防止して確実に保持することができる。
【００３３】
５１は抑えローラで、前記駆動スプロケット５０を軸支した支持軸に軸支され、保持コンベア４６の内側に位置し、本体３内に送られた養殖貝７１の表裏を上下方向に矯正させると共に、該抑えローラと保持コンベア４６の自重とで洗浄中に養殖貝が動くのを防止している。養殖貝７１は、表面に付着物が付いたままの状態で上がってくるため、養殖貝の方向がばらばらで、そのまま搬送コンベア２８に搬送されて洗浄すると、養殖貝の両面に洗浄水が十分に当たらず、洗浄むらができて洗浄効率が悪くなるのを防止することができる。
【００３４】
前記洗浄機構５５は、図１、２に示すごとく、前記本体３内にそれぞれ収容した搬送コンベア２８と保持コンベア４６のそれぞれ中央に取付けた支持板１６、１７にそれぞれ送水管５６を回転可能に取付けてなり、該送水管の先端を複数に分岐させた分岐管５７の先端に噴射ノズル５８をそれぞれ取付けて形成してある。
【００３５】
この噴射ノズル５８の先端は、前記搬送コンベア２８の洗浄面４０に向けて上下方向から噴射可能に位置し、本体３の上面に取付けた駆動モータ５９から減速機（図示せず）とチェーン（図示せず）を介して送水管５６を回転させることにより、洗浄面４０にむらなく洗浄水を噴射させることができる。
【００３６】
第１洗浄装置１Ａにおける養殖紐保持手段６０Ａは、図１１、１２に示すごとく、前記搬送コンベア２８の片側駆動チェーン３２ａの各外側連結片３６にそれぞれ設けた係止凸部３７と、前記駆動チェーン３２ａの上方に位置した紐圧着機構６１とからなり、養殖紐７０を本体３の入口側６で保持して出口側７に送ることができる。
【００３７】
前記駆動チェーン３２ａの外側連結片３６にそれぞれ設けた係止凸部３７は、図１４に示すごとく、外側連結片４２の上端を一方側に偏心させて突出させた係止凸部４３を一体に形成したことにより、養殖紐７０の引っ掛け位置を調節することができる。また、図１５に示すごとく、外側連結片４４の係止凸部４４ａを山型に突出させて一体に形成したことにより養殖紐７０の着脱をスムースに行うことができる。さらには、図１６に示すごとく、外側連結片４５の係止凸部４５ａの進行方向側を凹ませた係止凹部４５ｂを一体に形成したことにより、養殖紐７０を引っ掛ける場合、養殖紐が滑ったり、抜けたりすることなく確実に保持することができるので安全に紐送り作業を行うことができる。
【００３８】
前記紐圧着機構６１は、前記本体３の一側に軸支した支持杆６５の下端に、本体３の入口付近から出口付近まで位置した長尺な押圧片６２の中央より前側を枢動可能に軸支し、前記支持杆６５の上端にばね６６を取付けてなり、先端をやや上方に浮かせて吊下げた前記押圧片６２を、前記ばね６６で駆動チェーン３２ａ方向に付勢させて取付けてある。
【００３９】
前記押圧板６２は、図１１に示すごとく、先端の下方をアール状に湾曲させた圧着部６３を設け、後端を半円状に形成した離脱部６４を設け、横幅を前記駆動チェーン３２のスペースリング３４とほぼ同じ幅に形成し、前記駆動チェーン３２に圧着保持させた養殖紐７０を駆動チェーン３２の移動と共に、押圧板６２の下面をスライドさせて入口側６から出口側７に移動可能に形成してある。
【００４０】
前記押圧板６２は、図１２に示すごとく、先端をやや上方に浮かせて駆動チェーン３２ａとの間に隙間Ｘを設けて吊下げ、通常は、前記支持杆６５をばね６６で引張ることにより、押圧板６２を駆動チェーン３２ａ方向に付勢させてある。
【００４１】
養殖貝７１の洗浄作業は、前記搬送コンベア２８や保持コンベア４６および巻上げドラム２０を駆動させ、海中に張ってある元綱にそれぞれ一端を結んである養殖紐７０を海中から引き上げて洗浄装置１の入口側６から養殖紐保持手段６０Ａに先端を挿入する。
【００４２】
養殖紐保持手段６０Ａに先端を挿入した養殖紐７０は、巻き上げドラム２０に乗せて引き上げながら係止凸部３７と紐圧着機構６１とで圧着保持させて養殖紐７０から手を離す。次いで、係止凸部３７と紐圧着機構６１とで圧着保持された養殖紐７０は、洗浄装置１内を移動して出口側７に送られ、出口側に出てきた養殖紐７０の先端を手で握って引き出し、再度、海中に張ってある元綱の元の場所に結ぶことにより作業が終了する。
【００４３】
前記作業工程において、巻き上げドラム２０により引き上げられて搬送コンベア２８上に搬送された養殖貝７１は、入口６に取付けた感知バー１９に当たった刺激により養殖貝の口が閉じ、次いで、抑えローラ５１で養殖貝の表裏を上下方向に矯正させて搬送コンベア２８と保持コンベア４６の間に狭持されて移動する。養殖貝の口を閉ざし表裏方向を上下にすることにより、洗浄中における養殖貝の死亡率を減少させ、且つ、養殖貝の表面に洗浄水が十分に当たらない洗浄むらを防止し、洗浄効率の向上を図ることができる。
【００４４】
洗浄装置１Ａの一側に取付けた紐圧着機構６１に、海中から引き上げた養殖紐７０の先端を圧着させる動作は、図１１に示すごとく、養殖紐７０の先端を回転している駆動チェーン３２ａの係止凸部３７に引っ掛けて行う。
【００４５】
係止凸部３７に引っ掛けた状態で駆動チェーン３２ａの回動と共に養殖紐７０が移動すると、養殖紐７０が紐圧着機構６１の押圧板６２に当接し、該押圧板の圧着部６３をばね６６の弾発力または付勢力に抗して上方に浮かせる。圧着部６３を浮かせることにより、海水で濡れて滑りやすい養殖紐７０を圧着部６３の下側へ確実に送り込むことができる（図１７）。
【００４６】
次いで、養殖紐７０は、図１８、１９に示すごとく、駆動チェーン３２ａの外側連結片３６の係止凸部３７とスペースリング３４の間に位置して押圧板６２の押圧力で圧着することにより、養殖紐７０から手を離しても養殖紐７０は紐圧着機構６１から外れることなく強固に保持することができる。
【００４７】
手から離れた養殖紐７０は、駆動チェーン３２ａの回動と共に押圧板６２の下面をスライドしながら移動して確実に出口方向に移動させることができる。したがって、海から引き上げられて海水を含んだ養殖貝７１の重量が加わった重い養殖紐７０でも、養殖紐保持手段６０Ａにより圧着保持されるため、移動中にずれたり抜け落ちることなく確実に出口側に送ることができる。
【００４８】
養殖紐保持手段６０Ａの係止凸部３７と、紐圧着機構６１とにより圧着されて移動しながら出口側７に出てきた養殖紐７０は、図２０に示すごとく、端部を押圧板６２の離脱部６４付近にきたら手で掴みながら離脱部６４から外れた後、圧着力が解消された養殖紐７０を手で引き出し再度海中に張ってある元綱に結ぶことにより、該養殖紐に吊下げられている養殖貝は順次洗浄された後、排出シュータ２５から自重で海中に落下して吊り下がることにより洗浄作業が完了する。
【００４９】
以上のごとく、海中から引き上げられた養殖紐７０を、洗浄装置１Ａの一側に取付けた養殖紐保持手段６０Ａにより入口側６で圧着保持して出口側７に送ることができるので洗浄作業中に養殖紐７０から手を離しても、養殖紐７０が脱落することがなく安全確実に移動させることができるので、洗浄作業の向上と作業中の怪我などの事故を防止することができる。
【００５０】
本発明の第２の実施の形態である第２洗浄装置１Ｂを図面に基づいて説明すると、図２１は養殖紐の引き上げ状態を示す第２洗浄装置の正面図、図２２は一部破断した無端ベルト部の平面図、図２３Ａは養殖紐保持手段６０Ｂに取付けた第１紐保持具の使用状態を示す側面図、図２３Ｂは第２紐保持具の使用状態を示す側面図、図２３Ｃは第３紐保持具の使用状態を示す側面図、図２４は第２養殖紐保持手段６０Ｂである紐保持具を無端ベルト部の連結軸に引っ掛けた状態を示す断面図である。本発明の第２洗浄装置１Ｂは、前記第１洗浄装置１Ａとほぼ同一の構成であることから、共通部分については同一の符号をもって説明する。
【００５１】
この第２洗浄装置１Ｂは、作業船の船縁に取付けて使用するもので、架台２上に設けた本体３の内部に、海中から引き上げた養殖貝７１を搬送する搬送コンベア２８と、搬送された養殖貝を上面から押さえて安定させる保持コンベア４６と、搬送された養殖貝の表面に付着した不純物を除去する洗浄機構５５をそれぞれ収容し、前記洗浄装置１の入口側６には海中の養殖貝７１を吊下げた養殖紐７０を引き上げるための巻上げドラム２０を取付け、他方の出口側７には洗浄後の養殖貝を海に戻すための排出シュータ２５を取付けてある。
【００５２】
前記架台２は、洗浄装置１を船縁に取付ける際、船上の所定箇所に設けた固定枠（図示せず）に取付ける。この架台２の中央には洗浄機構５５に海水を圧送するポンプ（図示せず）に連通する送水管の開閉バルブ（図示せず）を取付けて有る。
【００５３】
前記本体３は、図２１に示すごとく、養殖貝７１を搬送する搬送コンベア２８を収容した下部体４と、搬送された養殖貝７１を上面から押さえて養殖貝の向きを安定させる保持コンベア４６を収容した上部体５とからなり、前記搬送コンベア２８と保持コンベア４６とが対面する水平方向の左右に入口６と出口７をそれぞれ設けてある。
【００５４】
前記本体３の正面に設けた点検口１０、１１および蓋板１３、１５は、前記第１洗浄装置１の点検口１０、１１および蓋板１３、１５と同一であるため、説明を省略する。前記感知バー１９、巻上げドラム２０および排出シュータ２５、さらに前記洗浄機構５５は、前記第１洗浄装置１と同一であるため、説明を省略する。
【００５５】
前記搬送コンベア２８は、下部体４内で、入口側６に軸支した駆動スプロケット３８と、出口側７に軸支したスプロケット３９との間に水平な洗浄面４０を設け、下方にそれぞれ軸支した他のスプロケット３９を介してエンドレスで回転可能に環回してある。
【００５６】
前記保持コンベア４６は、前記本体３の上部体５内に収容され、入口側６に軸支した駆動スプロケット５０と、出口側に軸支したスプロケット５２との間に前記洗浄面４０と並行に位置し、上部体５に軸支した他のスプロケット５２を介して保持コンベア４６をエンドレスで回転可能に環回してある。前記保持コンベア４６の抑えローラ５１は、前記第１洗浄装置１Ａと同一であるため、ここでの説明を省略する。
【００５７】
前記搬送コンベア２８および保持コンベア４６は、図２２に示すごとく、金属製のワイヤーベルト、特に塩害に対する耐食性を有するステンレス材により形成した無端ベルト２９、４７の両端に駆動チェーン３２をそれぞれ取付けて形成してある。この無端ベルト２９、４７は、前記図６において説明した無端ベルトと同一であるためここでの説明を省略する。
【００５８】
第２洗浄装置１Ｂにおける養殖紐保持手段６０Ｂは、養殖紐７０の先端に取付けた紐保持具７５により行う。この紐保持具７５は、図２３Ａに示すごとく、先端にフック部７６、後端にひも止め部７７を一体に設けてなり、前記ひも止め部７７に養殖紐７０の先端を通して折り返して折り返し部分を結着して形成してある。さらには、図２３Ｂに示すごとく、紐保持具７５ａのひも止め部７７ａに、養殖紐７０の先端を通した後、該紐の先端を結んで止めてもよい。
【００５９】
第２紐保持具８０は、図２３Ｃに示すごとく、先端にフック部８１、後端にチャック部８２を有してなり、養殖貝の洗浄作業を行うときに、元綱からほどいた養殖紐の先端または任意箇所にチャック部８２を着脱可能に取付けて使用するものである。前記第２紐保持具８０は、養殖貝の洗浄作業を行う場合、元綱からほどいて引き上げた養殖紐７０の先端にチャック部８２を取付けて使用するもので、通常は、養殖紐から分離してある。
【００６０】
上記のごとく、第２洗浄装置１Ｂに取付けた養殖紐保持手段６０Ｂを使用して養殖貝７１の洗浄作業を行う場合、図２４に示すごとく、紐保持具７５、７５ａを取付けてある養殖紐７０を引き上げて洗浄装置の搬送コンベア２８のベルト軸３３に引っ掛けた後、養殖紐７０から手を離しても搬送コンベア２８により確実に保持して洗浄装置の入口側から出口側に送ることができるので、洗浄作業の効率化を図ることができる。
【００６１】
前記作業工程において、巻き上げドラム２０により引き上げられて入口側６から搬送コンベア２８上に搬送された養殖貝は、入口６に取付けた感知バー１９に当たった刺激により養殖貝の口が閉じ、次いで、抑えローラ５０で養殖貝の表裏を上下方向に矯正させて搬送コンベア２８と保持コンベア４６の間に狭持させて移動させる。
【００６２】
養殖貝の口を閉ざし表裏方向を上下にすることにより、洗浄中における養殖貝の死亡率を減少させ、且つ、養殖貝の表面に洗浄水が十分に当たらない洗浄むらを防止し、洗浄効率の向上を図ることができる。さらに洗浄面４０上の養殖貝は、搬送コンベア２８と保持コンベアの無端ベルト２９、４８に取付けた連結片３１、４８の係止突部３１ａ、４８ａにより上下方向から保持することにより、搬送中または洗浄中に養殖貝が紐全体の重さで入口方向に引張られたり、動いたりすることなく確実に保持することができるので養殖貝が養殖紐から脱落したり、海中に落下することなく確実に洗浄して再度海中に戻すことができ、洗浄作業に効率化を図ることができる。
【００６３】
また、養殖貝の洗浄作業において、洗浄中は、点検口１０、１１に蓋板１３、１５を取付けて洗浄中に洗浄水の飛沫が飛び散るのを防止し、上部体５に取付けた蓋板１３には透明窓部１４を設けたことにより、洗浄状況を外部から観察することができるので便利である。洗浄作業の終了後は、前記蓋板１３、１５をそれぞれ取り外すことにより、装置内の洗浄または点検を容易に行うことができるので便利である。
【００６４】
前記本体３の出口側７に取付けた排出シュータ２５は、底面に貝回収口２６を設けたことにより、洗浄中にテグスから離脱した養殖貝は、貝回収口２６内に落下して貝止め板２６ｂで係止するため容易に取り出すことができる。また、養殖貝に着いた洗浄水は、貝止め板２６ｂと貝受舌部２７との隙間から落下して水きりをすることができるので回収作業の効率化を図ることができる。さらには、貝回収口の下側底板２６ａに貝受舌部２７を前記排出シュータ２５の傾斜方向と反対方向に折り曲げて形成したことにより、養殖紐７０に吊るされた養殖貝７１が貝回収口２６に落下するのを防止してスムースに通過させることができる。
【００６５】
養殖貝の養殖方法は、前記したごとく、養殖紐に養殖貝をそれぞれ吊り下げて行う方法のほか、養殖紐に多数吊下げた養殖籠内に複数の養殖貝を収容し、この籠を海中に吊下げて行う養殖方法もある。この養殖方法は、比較的小さな養殖貝を一度に効率よく養殖することができる。
【００６６】
前記養殖方法においても養殖籠を海中に吊るすことから、海中に浮遊する不純物が養殖籠に付着して籠の目を塞いで潮の流通を阻害するおそれがある。籠の目を塞がれると養殖貝の生育に障害を生じるおそれがあるため、養殖貝を収容した養殖籠も定期的に洗浄する必要がある。この養殖貝を収容した養殖籠を洗浄する場合にも、前記第１、２洗浄装置１Ａ、１Ｂを使用して洗浄することができるのは勿論である。
【符号の説明】
【００６７】
１    洗浄装置
２    架台
３    本体
４    下部体
５    上部体
６    入口
７    出口
１０  上点検口
１１  下点検口
１３  上蓋板
１４  透明窓部
１５  下蓋板
２０  巻上ドラム
２３  ガイド軸
２５  排出シュータ
２６  貝回収口
２７  貝受舌部
２８  搬送コンベア
２９  無端ベルト
３０  連結片
３１  係止突部
３２  駆動チェーン
３３  ベルト軸
３４  スペースリング
３５  内側連結片
３６  第１外側連結片
３７  第１係止凸部
４０  洗浄面
４６  保持コンベア
４７  無端ベルト
４８  連結片
４９  係止突部
５０  駆動スプロケット
５５  洗浄機構
５８  噴射ノズル
６０Ａ養殖紐保持手段
６１  紐圧着機構
６２  押圧板
６３  圧着部
６４  離脱部
６５  支持軸
６６  ばね
７０  養殖紐
７１  養殖貝
７５  第１紐保持具
７６  フック部
７７  ひも止め部
８０  第２紐保持具
８１  フック部
８２  チャック部
【図１】
0005390974.tif 000002
【図２】
0005390974.tif 000003
【図３】
0005390974.tif 000004
【図４】
0005390974.tif 000005
【図５】
0005390974.tif 000006
【図６】
0005390974.tif 000007
【図７】
0005390974.tif 000008
【図８】
0005390974.tif 000009
【図９】
0005390974.tif 000010
【図１０】
0005390974.tif 000011
【図１１】
0005390974.tif 000012
【図１２】
0005390974.tif 000013
【図１３】
0005390974.tif 000014
【図１４】
0005390974.tif 000015
【図１５】
0005390974.tif 000016
【図１６】
0005390974.tif 000017
【図１７】
0005390974.tif 000018
【図１８】
0005390974.tif 000019
【図１９】
0005390974.tif 000020
【図２０】
0005390974.tif 000021
【図２１】
0005390974.tif 000022
【図２２】
0005390974.tif 000023
【図２３Ａ】
0005390974.tif 000024
【図２３Ｂ】
0005390974.tif 000025
【図２３Ｃ】
0005390974.tif 000026
【図２４】
0005390974.tif 000027